(57)【特許請求の範囲】
【請求項１】
上流側伝送装置が接続された１本の光ファイバが、それぞれ下流側伝送装置が接続された複数本の分岐線路に、光分岐素子によって分岐されている分岐光通信システムの心線を対照する心線対照システムにおいて、
前記複数本の分岐線路のいずれかに設置され、当該分岐線路を曲げて曲げ損失を生じさせることにより当該分岐線路に接続された前記下流側伝送装置と前記上流側伝送装置との間で送受信される通信光に符号誤りによる通信エラーを発生させる損失付与手段と、
前記光分岐素子よりも前記上流側伝送装置側に設置され、前記損失付与手段によって前記通信光に発生した符号誤りによる通信エラーを前記分岐線路のそれぞれに接続された前記下流側伝送装置ごとに検出する損失検出手段と、
を設け、
前記損失付与手段によって徐々に分岐線路に曲げ損失を加えていき、前記損失検出手段によって検出された通信エラーに変動があった通信光を送受信する下流側伝送装置が接続された分岐線路を、前記損失付与手段によって曲げ損失を加えた分岐線路として特定することで心線対照を行うことを特徴とする心線対照システム。
【請求項２】
前記損失付与手段は、分岐光通信システムにおいて補正可能な符号誤りによる通信エラーを発生させることを特徴とする請求項１に記載の心線対照システム。
【請求項３】
上流側伝送装置が接続された１本の光ファイバが、それぞれ下流側伝送装置が接続された複数本の分岐線路に、光分岐素子によって分岐されている分岐光通信システムの心線を対照する心線対照方法であって、
前記複数本の分岐線路のいずれかにおいて、当該分岐線路を曲げて曲げ損失を生じさせることにより当該分岐線路に接続された前記下流側伝送装置と前記上流側伝送装置との間で送受信される通信光に符号誤りによる通信エラーを発生させる損失付与手順と、
前記光分岐素子よりも前記上流側伝送装置側において、前記損失付与手順で前記通信光に発生させた符号誤りによる通信エラーを前記分岐線路のそれぞれに接続された前記下流側伝送装置ごとに検出する損失検出手順と、
を有し、
前記損失付与手順で徐々に分岐線路に曲げ損失を加えていき、前記損失検出手順で検出された通信エラーに変動があった通信光を送受信する下流側伝送装置が接続された分岐線路を、前記損失付与手順で曲げ損失を加えた分岐線路として特定することで心線対照を行うことを特徴とする心線対照方法。
【請求項４】
前記損失付与手順において、分岐光通信システムが補正可能な符号誤りによる通信エラーを発生させることを特徴とする請求項３に記載の心線対照方法。
【発明の詳細な説明】
【技術分野】
【０００１】
本発明は光ファイバ通信網の建設や保守にあたり、光ファイバの誤切断や誤接続を回避するために、光ファイバの特定を行う心線対照技術に関するものである。
【背景技術】
【０００２】
光ファイバ通信網の建設や保守にあたり、光ファイバの誤切断や誤接続といった事態を発生させないために、作業現場において光ファイバケーブル内、或いはユーザ宅の光ファイバを個別に特定する必要がある。この作業は心線対照と呼ばれている（例えば、非特許文献１参照。）。
【０００３】
図５は、従来の光ファイバ対照システムの一例を示す構成図である。対照を必要とする光ファイバ１の上流側に設置した心線対照用の光源装置２から心線対照用の入射装置３を介して光ファイバ１に対照用光信号（以下「対照光」という。）を入射する。光ファイバ１の下流側では、心線対照用の受光装置４を用いて光ファイバ１に曲げを与えることにより、対照光を光ファイバ１の心線外へ放射させて、この対照光を検出する。
【０００４】
ここで、光源装置２は、ユーザ宅１８へ情報等を提供する通信用光信号（以下、「通信光」という。）よりも波長の長いレーザーダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの光に２７０Ｈｚの周波数変調を加えた光を発光する装置である。例えば、通信光の波長が１．３１μｍの場合は対照光の波長は１．５５μｍを採用し、通信光の波長が１．５５μｍの場合は対照光の波長は１．６５μｍを採用する。
【０００５】
また、入射装置３としては、光ファイバカップラや導波路型方向性結合器、或いは光ファイバ１の上流側端面から直接対照光が入射されたりする。また、受光装置４には、通信光の損失をある所定のレベルに抑制しつつ、光ファイバ１の心線外へ対照光のみを効率的に放射させるための湾曲機構が設けられていると共に、この放射させた光を受光するためのＧｅフォトダイオードやｌｎＧａＡｓフォトダイオードなどの対照用光信号受光素子（以下「受光素子」という）が設けられており、対照光の有無の判別や強度測定をすることができる。
【０００６】
このような構成により、通信光の送受信中であっても、光ファイバ１の上流側から入射した対照光を下流側の作業者が受光装置４を用いて検出することにより、心線対照が遂行されていた。
【非特許文献１】榎本ほか：「ハイブリッド型光モジュールを用いた小型光ファイバＩＤテスタの設計」、１９９６年電子情報通信学会通信ソサイエティ大会講演論文集（分冊：通信２）、講演番号Ｂ−９７６、Ｐ．４６１
【０００７】
図６は、心線対照装置を分岐光通信システムに適用した一例を示す構成図である。２は心線対照用の光源装置、３は心線対照用の入射装置、４は心線対照用の受光装置、５は光分岐素子、６は上流側伝送装置、７−１、７−２、…７−ｎは下流側伝送装置、９は上流側光ファイバ、１０−１、１０−２、…１０−ｎは分岐線路である。図６に示す分岐光通信システムは、１本の上流側の光ファイバ９が複数本の分岐線路１０−１、１０−２、…１０−ｎに分岐されているＰＤＳ（Ｐａｓｓｉｖｅ  Ｄｏｕｂｌｅ  Ｓｔａｒ）型通信網となっている。光分岐素子５に接続されたすべての分岐線路に対して対照光が伝搬してしまうため、光分岐素子５より下流側の分岐線路１０−１、１０−２、…１０−ｎの識別は不可能であった。
【発明の開示】
【発明が解決しようとする課題】
【０００８】
本発明は上記の課題を解決するためのものであり、ＰＤＳ型通信網などの分岐光通信網において光分岐素子より下流の分岐線路を個別に識別可能とすることを目的とする。
【課題を解決するための手段】
【０００９】
分岐光通信網における心線対照システムであって、上流側伝送装置と複数の下流側伝送装置との間の各通信を監視し、いずれの下流側伝送装置との間の通信にエラーが発生したのかを識別することで、上流側伝送装置と下流側伝送装置との間に損失付与手段の設置された伝送路を特定する。
【００１０】
具体的には、本発明に係る心線対照システムは、上流側伝送装置が接続された１本の光ファイバが、それぞれ下流側伝送装置が接続された複数本の分岐線路に、光分岐素子によって分岐されている分岐光通信システムの心線を対照する心線対照システムにおいて、前記複数本の分岐線路のいずれかに設置され、当該分岐線路を曲げて曲げ損失を生じさせることにより当該分岐線路に接続された前記下流側伝送装置と前記上流側伝送装置との間で送受信される通信光に符号誤りによる通信エラーを発生させる損失付与手段と、前記光分岐素子よりも前記上流側伝送装置側に設置され、前記損失付与手段によって前記通信光に発生した符号誤りによる通信エラーを前記分岐線路のそれぞれに接続された前記下流側伝送装置ごとに検出する損失検出手段と、を設け、前記損失付与手段によって徐々に分岐線路に曲げ損失を加えていき、前記損失検出手段によって検出された通信エラーに変動があった通信光を送受信する下流側伝送装置が接続された分岐線路を、前記損失付与手段によって曲げ損失を加えた分岐線路として特定することで心線対照を行うことを特徴とする。
損失検出手段が通信エラーの振舞を検出するので、損失付与手段によって発生させる通信エラーと対比することで、損失付与手段を設置した分岐線路を特定することができる。
【００１１】
前記損失付与手段は、分岐光通信システムにおいて補正可能な符号誤りによる通信エラーを発生させることが好ましい。心線対照を行う分岐線路における通信光の送受信を妨げることなく心線対照を行うことができる。
【００１２】
具体的には、本発明に係る心線対照方法は、上流側伝送装置が接続された１本の光ファイバが、それぞれ下流側伝送装置が接続された複数本の分岐線路に、光分岐素子によって分岐されている分岐光通信システムの心線を対照する心線対照方法であって、前記複数本の分岐線路のいずれかにおいて、当該分岐線路を曲げて曲げ損失を生じさせることにより当該分岐線路に接続された前記下流側伝送装置と前記上流側伝送装置との間で送受信される通信光に符号誤りによる通信エラーを発生させる損失付与手順と、前記光分岐素子よりも前記上流側伝送装置側において、前記損失付与手順で前記通信光に発生させた符号誤りによる通信エラーを前記分岐線路のそれぞれに接続された前記下流側伝送装置ごとに検出する損失検出手順と、を有し、前記損失付与手順で徐々に分岐線路に曲げ損失を加えていき、前記損失検出手順で検出された通信エラーに変動があった通信光を送受信する下流側伝送装置が接続された分岐線路を、前記損失付与手順で曲げ損失を加えた分岐線路として特定することで心線対照を行うことを特徴とする。
損失検出手順が通信エラーの振舞を検出するので、損失付与手順において発生させる通信エラーと対比することで、損失付与手順で損失を付与した分岐線路を特定することができる。
【００１３】
前記損失付与手順において、分岐光通信システムが補正可能な符号誤りによる通信エラーを発生させることが好ましい。心線対照を行う分岐線路における通信光の送受信を妨げることなく心線対照を行うことができる。
【発明の効果】
【００１４】
本発明によれば、分岐光通信網においても分岐線路の心線対照が可能となる。さらに、対照光を用いることなく心線対照を行うことができる。
【発明を実施するための最良の形態】
【００１５】
添付の図面を参照して本発明の実施の形態を説明する。以下に説明する実施の形態は本発明の構成の例であり、本発明は、以下の実施の形態に制限されるものではない。図１は、本実施形態に係る心線対照システムの第一例を示す構成図である。本実施形態に係る心線対照システムは、１本の光ファイバ９が光分岐素子５によって複数の分岐線路に分岐されている。本実施形態では、一例として、複数の分岐線路をｎ本の分岐線路１０−１、１０−２、…１０−ｎとした。下流側伝送装置７−１、７−２、…７−ｎは、それぞれ、分岐線路１０−１、１０−２、…１０−ｎに接続されている。
【００１６】
下流側伝送装置７−１、７−２、…７−ｎは、それぞれ、上流側伝送装置６と通信光を送受信する。下流側伝送装置７−１、７−２、…７−ｎは、例えばＯＮＵ（Ｏｐｔｉｃａｌ  Ｎｅｔｗｏｒｋ  Ｕｎｉｔ）であり、ユーザ宅に設置される。上流側伝送装置６は、例えば、基地局や中継局に配置されているＯＬＴ（Ｏｐｔｉｃａｌ  Ｌｉｎｅ  Ｔｅｒｍｉｎａｌ）などの伝送装置である。光ファイバ９及び分岐線路１０−１、１０−２、…１０−ｎは、光線路である。光ファイバ９及び分岐線路１０−１、１０−２、…１０−ｎは、シングルモードであってもよいし、マルチモードであってもよい。
【００１７】
本実施形態に係る心線対照システムは、損失付与手段８及び損失検出手段（不図示）を
備える。従来のような心線対照用の光源装置や入射装置は必要ない。損失検出手段（不図示）については、光分岐素子５の上流側に設置されるが、本実施形態では上流側伝送装置６に備わる。
【００１８】
損失付与手段８は、ｎ本の分岐線路１０−１、１０−２、…１０−ｎのうちの１本である分岐線路１０−１を曲げる。損失付与手段８は、分岐線路１０−１にて送受信される通信光に符号誤り（通信エラー）が発生する程度に分岐線路１０−１を曲げる。
【００１９】
図２は、損失付与手段の一例を示す説明図である。損失付与手段８は、曲げた状態の光ファイバ１３の形状に合わせて湾曲した凸部１１と凹部１２を備え、凸部１１と凹部１２で光ファイバ１３を挟持することで光ファイバ１３を湾曲させる。ここで、光ファイバ１３は、本実施形態においては図１における分岐線路１０−１である。凸部１１と凹部１２の間隙を狭くしていくことで、曲げ損失を大きくしていくことができる。例えば、凸部１１と凹部１２の間隙が広く、光ファイバ１３の曲げ量が小さい場合には、曲げ損失は小さい。一方、凸部１１と凹部１２の間隙が狭く、光ファイバ１３の曲げ量が大きい場合には、曲げ損失は大きい。損失付与手段８は、光ファイバ１３の伝送する通信光がリンク断にならない程度に光ファイバ１３を湾曲させる。
【００２０】
図１において、損失検出手段（不図示）は、損失付与手段８によって発生した符号誤りを検出する。損失検出手段（不図示）は、例えば上流側伝送装置６に備わる。この場合、上流側伝送装置６は、下流側伝送装置７−１、７−２、…７−ｎとの間の各々の光通信における符号誤り（通信エラー）を独立に検出する。損失検出手段が符号誤りを分岐線路１０−１、１０−２、…１０−ｎごとに検出することで、損失付与手段８によって符号誤りを発生させている分岐線路１０−１検出することができる。
【００２１】
本実施形態に係る心線対照方法について、図１及び図３を用いて説明する。図３は、本実施形態に係る心線対照方法の一例を示すフロー図である。本実施形態に係る心線対照方法は、損失付与手順Ｓ１０２と、損失検出手順Ｓ１０３と、を有することを特徴とする。本実施形態では、損失付与手順Ｓ１０２の前に確認手順Ｓ１０１を有する。また、損失検出手順Ｓ１０３の後に曲げ手順Ｓ１０４及び完了手順Ｓ１０５を有する。
【００２２】
確認手順Ｓ１０１では、作業者は携帯電話等を用いて上流側伝送装置６へ問い合わせ、全ての下流側伝送装置７−１、７−２、…７−ｎとの間に通信エラーが発生していないことを確認する。損失付与手順Ｓ１０２では、複数本ｎ本の分岐線路１０−１、１０−２、…１０−ｎのうちの１本の分岐線路１０−１を曲げ、曲げ損失が発生する程度に分岐線路１０−１を曲げる。曲げ損失を生じさせることで、符号誤りによる通信エラーを発生させる。
【００２３】
損失検出手順Ｓ１０３では、損失付与手順Ｓ１０２において発生させた符号誤りによる通信エラーを検出する。例えば、上流側伝送装置６に備わる損失検出手段が、分岐線路１０−１、１０−２、…１０−ｎのうちのいずれかに符号誤りによる通信エラーが発生していないかを確認する。損失付与手段８による分岐線路１０−１の曲げが小さい場合は符号誤りが発生しない。また、同程度の符号誤りが複数ある場合は、曲げ手順Ｓ１０４へ移行する。
【００２４】
損失付与手段８により曲げを与えられた分岐線路１０−１は、損失が増大するため、上流側伝送装置６と下流側伝送装置７−１との間の光信号に符号誤り（通信エラー）が発生する。このとき曲げを与えられていない分岐線路１０−２、…１０−ｎを経由する通信には符号誤りが発生しない。符号誤りは上流側伝送装置６に備わった損失検出手段により検出され、該当符号誤りは上流側伝送装置６と下流側伝送装置７−１との通信路、すなわち分岐線路１０−１上で発生していることが確認されると同時に、その他の分岐線路１０−２、…１０−ｎでは符号誤りが発生していないことが確認される。これにより、損失付与手段８により曲げ損失を与えられた分岐線路１０−１は、上流側伝送装置６と下流側伝送装置７−１との間を結ぶ通信路であることが確認される。
【００２５】
損失検出手順Ｓ１０３において通信エラーが検出できない場合は、曲げ手順Ｓ１０４に移行する。曲げ手順Ｓ１０４では、損失付与手段８は分岐線路１０−１の曲げを強化する。ここで、損失付与手順Ｓ１０４においても、分岐光通信システムにおいて補正可能な符号誤りを発生させることが好ましい。
【００２６】
一方、損失検出手順Ｓ１０３において、上流側伝送装置６と下流側伝送装置７−１との間の１組の伝送路にのみから通信エラーを検出した場合は、完了手順Ｓ１０５へ移行する。完了手順Ｓ１０５では、損失付与手段８によって曲げ損失を与えられた分岐線路１０−１が、上流側伝送装置６と下流側伝送装置７−１との間を結ぶ通信路であることを確認する。
【００２７】
本実施形態に係る心線対照方法では、曲げ手順Ｓ１０４を有することで、上流側伝送装置６に配置された損失検出手段の検出する通信エラーをリアルタイムで観察しながら、損失付与手段８により徐々に分岐線路１０−１に曲げ損失を加えていく。通信エラーの変動によって分岐線路１０−１を特定できるので、損失付与手段８によって曲げ損失を付与している分岐線路１０−１を簡単かつ確実に特定することができる。
【００２８】
以上説明したように、本実施形態に係る心線対照システム又は心線対照方法を用いることで、分岐光通信網においても心線対照が可能となる。分岐線路を光分岐素子５まで遡ることなく、上流側伝送装置６の端末部分で個別に心線対照を実施することができる。さらに、光ファイバに入射する対照光が不要であるので、心線対照のための光源を用意することなく心線対照を行うことができる。
【００２９】
本実施形態に係る心線対照システムにおいては、図１に示す損失付与手段８が、分岐光通信システムにおいて補正可能な符号誤りを発生させることが好ましい。又、図３に示す損失検出手順Ｓ１０３においては、分岐光通信システムにおいて補正可能な符号誤りを発生させる。図１に示す損失付与手段８の発生させる符合誤りが分岐光通信システムにおいて補正可能であれば、分岐線路１０−１を用いて光通信サービスを提供している間においても、心線対照を行うことができる。
【００３０】
分岐光通信システムにおいて誤りを補正する方法としては、例えば、再送要求方式又は誤り訂正方式がある。分岐光通信システムにおいて用いられている誤りを補正する方法が再送要求方式であれば、損失付与手段８は、再送要求が出始める程度の通信エラーを発生させる。一方、分岐光通信システムにおいて用いられている誤りを補正する方法が誤り訂正方式であれば、損失付与手段８は、誤り訂正方式によって訂正できる範囲の通信エラーを発生させる。
【００３１】
図４は、本実施形態に係る心線対照システムの第二例を示す構成図である。図４に示す心線対照システムでは、心線対照システムが再送要求方式によって通信エラーの誤りを補正している。この場合、心線対照システムは、誤り検出回路１５、再送要求回路１６及び再送回路１４を備える。
【００３２】
下流側伝送装置７−１は、上流側伝送装置６の送信する通信光を受信する。このとき、誤り検出回路１５は、受信した通信光によって得られた信号の通信エラーを測定する。再送要求回路１６は、通信エラーが所定値以上であることを判定すると、上流側伝送装置６へ再送要求を送信する。上流側伝送装置６が再送要求を受信すると、再送回路１４は、誤った符合部分の正しい符号を再度送信する。このとき、損失付与手段８が、再送要求回路１６が再送要求を送信するかしないかの境界の通信エラーを発生させることで、上流側伝送装置６と下流側伝送装置７−１との間の通信を維持することができる。
【００３３】
分岐光通信システムにおいて用いられている誤りを補正する方法が誤り訂正方式である場合、再送要求回路１６の代わりに誤り訂正回路が備わり、再送回路１４の代わりに誤り訂正符号生成回路が備わる。誤り訂正符号生成回路は、下流側伝送装置７−１へ送信する情報に、誤り訂正符号を付与する。誤り訂正回路は、誤り検出回路１５が誤りを検出すると、誤り訂正符号に基づいて符号誤りを補正する。このとき、損失付与手段８が、符号誤りを補正することができる範囲で通信エラーを発生させることで、上流側伝送装置６と下流側伝送装置７−１との間の通信を維持することができる。
【００３４】
誤り訂正符号は、発生する誤りによって異なるが、本実施形態では限定しない。発生する誤りがランダム誤りであれば、誤り訂正符号は、例えば、ハミング符号、ＢＨＣ符号、Ｖｉｔｅｒｂｉ復号若しくは逐次復号による畳み込み符号、自己直交符号又は水平垂直パリティ検査符号などのランダム誤り訂正符号である。また、発生する誤りがバイト誤りであれば、誤り訂正符号は、例えば、リードソロモン符号である。また、発生する誤りがバースト誤りであれば、誤り訂正符号は、例えば、ファイア符号、嵩符号、岩垂符号又はＨａｇｅｌｂａｒｇｅｒ符号である。
【００３５】
以上説明したように、損失付与手段８の発生させる符合誤りが分岐光通信システムにおいて補正可能であれば、分岐線路１０−１を用いて光通信サービスを提供している間においても、心線対照を行うことができる。ここで、通信エラーの補正を分岐前の上流側で行う場合は、通信エラーの補正を行う前に心線対照のための通信エラーを検出することを要する。本実施形態に係る心線対照システム及び心線対照方法では、心線対照のための通信エラーの検出は上流側伝送装置６などの上流側であるのに対し、通信エラーの補正のための検出は下流側通信装置であるので、通信エラーの補正の影響を受けずに心線対照を行うことができる。
【００３６】
なお、誤り検出回路及び再送要求回路は、下流側伝送装置７−１に限らず上流側伝送装置６に設けてもよい。この場合、再送回路は下流側伝送装置７−１に設ける。また、二心双方向通信の場合は、上流側伝送装置６及び下流側伝送装置７−１に、誤り検出回路、再送要求回路及び再送回路を設けることが好ましい。また、本実施形態では、下流側伝送装置のうちの下流側伝送装置７−１に誤り検出回路及び再送要求回路を設ける例について説明したが、下流側伝送装置７−１、７−２、…７−ｎのそれぞれに設けることが好ましい。
【産業上の利用可能性】
【００３７】
光ファイバ通信網の建設や保守に利用することができる。
【図面の簡単な説明】
【００３８】
【図１】本実施形態に係る心線対照システムの第一例を示す構成図である。
【図２】損失付与手段の一例を示す説明図である。
【図３】本実施形態に係る心線対照方法の一例を示すフロー図である。
【図４】本実施形態に係る心線対照システムの第二例を示す構成図である。
【図５】従来の光ファイバ対照システムの一例を示す構成図である。
【図６】心線対照装置をＰＤＳ型通信網に適用した一例を示す構成図である。
【符号の説明】
【００３９】
２  光ファイバ対照用の光源装置
３  光ファイバ対照用の入射装置
４  光ファイバ対照用の受光装置
５  光分岐素子
６  上流側伝送装置
７−１、７−２、…７−ｎ  下流側伝送装置
８  損失付与手段
９  光ファイバ
１０−１、１０−２、…１０−ｎ  分岐線路
１１  損失付与手段の凸部
１２  損失付与手段の凹部
１３  光ファイバ
１４  再送回路
１５  誤り検出回路
１６  再送要求回路
１８  ユーザ宅
【図１】
0005221072.tif 000002
【図２】
0005221072.tif 000003
【図３】
0005221072.tif 000004
【図４】
0005221072.tif 000005
【図５】
0005221072.tif 000006
【図６】
0005221072.tif 000007